(57)【要約】【課題】背面板の隔壁と前面板の光吸収層の位置ずれが生じても、輝度低下が少なく、かつ光吸収層が外光反射を低減して表示画像のコントラストを改善することができるプラズマディスプレイパネルを提供する。【解決手段】本発明のプラズマディスプレイパネルは、直交する隔壁により形成される複数のセルを有し、前記セルに蛍光体を充填した背面板と、前記背面板との間に放電空間を形成するよう前記背面板と対向配置された前面板とを備え、放電により前記蛍光体を発光させ表示光を発するプラズマディスプレイパネルであって、前記前面板は、映像表示面の長手方向と平行な前記隔壁に各々対応して前記隔壁の前記前面板側に並列配置されたブラックストライプを有し、前記ブラックストライプ各々は、前記セルのコーナー部を覆う位置に凸部を有するよう前記前面板に配置されている。【選択図】図１ｂ
2009193946.tif 000002
【特許請求の範囲】
【請求項１】
直交する隔壁により形成される複数のセルを有し、前記セルに蛍光体を充填した背面板と、前記背面板との間に放電空間を形成するよう前記背面板と対向配置された前面板とを備え、放電により前記蛍光体を発光させ表示光を発するプラズマディスプレイパネルであって、
前記前面板は、
映像表示面の長手方向と平行な前記隔壁に各々対応して前記隔壁の前記前面板側に並列配置されたブラックストライプを有し、
前記ブラックストライプ各々は、前記セルのコーナー部を覆う位置に凸部を有するよう前記前面板に配置されている、プラズマディスプレイパネル。
【請求項２】
前記凸部は、直交する隔壁の交点について点対称の位置に配置されている、請求項１記載のプラズマディスプレイパネル。
【請求項３】
前記凸部は、前記セルの一対の対角の位置に配置されている、請求項１記載のプラズマディスプレイパネル。
【請求項４】
前記凸部は、前記長手方向と平行な前記隔壁について線対称の位置に配置され、映像表示面の短手方向に隣り合う前記ブラックストライプの前記凸部は、前記長手方向に相対的にずれている、請求項１記載のプラズマディスプレイパネル。
【請求項５】
前記ブラックストライプの背面板側に反射膜が形成されている、請求項１記載のプラズマディスプレイパネル。
【発明の詳細な説明】
【技術分野】
【０００１】
本発明は、プラズマディスプレイパネルに関する。
【背景技術】
【０００２】
近年、ＣＲＴディスプレイ装置に代わるフラットディスプレイ装置への期待が高まり、奥行きを抑えた液晶ディスプレイ装置やプラズマディスプレイ装置などが普及している。特に、大画面のフラットディスプレイ装置にはプラズマディスプレイ装置が用いられることも多い。
【０００３】
プラズマディスプレイ装置は、主にプラズマディスプレイパネルと前面フィルタから構成されている。プラズマディスプレイパネルは、ガス放電により発生した紫外線で蛍光体を励起することにより可視光を発生させる表示デバイスであり、放電空間を区画した放電セル毎に発光を制御することにより画像を形成する。
【０００４】
例えば、マトリックス表示方式のプラズマディスプレイパネルでは、複数の電極（表示電極およびアドレス電極）が格子状に配列され、各電極の交差部となる放電セルを選択的に発光させることにより画像を形成する。
【０００５】
各放電セルの発光原理は以下の通りである。すなわち、点灯すべき放電セルの対向電極間に数十ｋＨｚから数百ｋＨｚのパルス状ＡＣ電圧を印加すると、壁電荷が蓄積されて表示放電が起こり、放電セル内に封入された放電ガスの成分であるＸｅから紫外線が放射される。放射された紫外線は、放電セル内に形成された赤、青、緑の蛍光体を励起して各々の色の可視光を発生させる。ここで、３色の放電セル１組を１画素とし、各色の発光強度を例えば２５６段階に制御することにより１６７０万色のフルカラー表示が可能である。
【０００６】
このように、プラズマディスプレイパネルの発光は放電現象を利用しているので応答速度も速く、ＣＲＴと同様に蛍光体を使用するために色再現性も良いことから、テレビ映像などの動画表示に適している。また、プラズマディスプレイパネルはその構造上、比較的容易に大画面を実現することができ、自発光で視野角依存性も無く、暗室におけるコントラストの高い優れた映像表示能力を有しているので、大画面ＴＶ受像機として需要を急速に拡大しつつある。
【０００７】
しかしながら、プラズマディスプレイパネルの各放電セル内には反射率の高い蛍光体が形成されているので、暗い環境下では高いコントラストを実現できるが、明るい環境下では外光反射が大きく、コントラストが低下しやすいという問題がある。そのため、明るい環境下でも高いコントラストを維持することのできるプラズマディスプレイパネルが要望されている。
【０００８】
このような要望に対して、例えば、放電空間を区画する背面板の隔壁と重なるようにストライプ状の光吸収層としてブラックマトリックスを前面板に配置して、外部からプラズマディスプレイパネルに到達し、プラズマディスプレイパネル内部で反射する光を減衰させて、コントラストを良好にする技術（特許文献１）が提案されている。
【特許文献１】特開２００７−１３４２６４号公報
【発明の開示】
【発明が解決しようとする課題】
【０００９】
しかしながら、上述した構成においては、プラズマディスプレイパネルの製造工程において、前面板と背面板を貼り合せる時にそれぞれの基板の寸法がわずかに異なり、ブラックマトリックスに位置ずれが生じる。この位置ずれは、前面板のブラックマトリックスが背面板の隔壁の真上に配置されないで、ブラックマトリックスが発光部上に入り込むという状態である。この状態で、プラズマディスプレイを発光させると、ブラックマトリックスが発光部からの光を遮るため、輝度が低下するという問題があった。
【００１０】
そこで本発明の目的は、かかる点に鑑みてなされたものであり、背面板の隔壁と前面板の光吸収層の位置ずれが生じても、輝度低下が少なく、かつ光吸収層が外光反射を低減して表示画像のコントラストを改善することができるプラズマディスプレイパネルを提供することを目的とする。
【課題を解決するための手段】
【００１１】
本発明のプラズマディスプレイパネルは、直交する隔壁により形成される複数のセルを有し、前記セルに蛍光体を充填した背面板と、前記背面板との間に放電空間を形成するよう前記背面板と対向配置された前面板とを備え、放電により前記蛍光体を発光させ表示光を発するプラズマディスプレイパネルであって、前記前面板は、映像表示面の長手方向と平行な前記隔壁に各々対応して前記隔壁の前記前面板側に並列配置されたブラックストライプを有し、前記ブラックストライプ各々は、前記セルのコーナー部を覆う位置に凸部を有するよう前記前面板に配置されている、構成を採る。
【発明の効果】
【００１２】
このように、本発明によれば、背面板の隔壁と前面板の光吸収層の位置ずれが生じても、輝度低下が少なく、かつ光吸収層が外光反射を低減して表示画像のコントラストを改善することができるプラズマディスプレイパネルを提供することができる。
【発明を実施するための最良の形態】
【００１３】
（実施の形態１）
図１ａは、本発明の実施の形態１に係るプラズマディスプレイパネルの構成を示す斜視図である。図１ｂは、図１ａのプラズマディスプレイパネルから前面基板１６を省略したプラズマディスプレイパネルの斜視図である。
【００１４】
図１ａにおいて、プラズマディスプレイパネル１は、外光反射を低減させる光吸収層としてのブラックマトリックスが配置されている前面板１０と、前面板１０と対向配置されている背面板２０とから構成されている。
【００１５】
前面板１０は、背面板２０との間に放電空間を形成するよう背面板２０と対向配置されている。
【００１６】
背面板２０は、直交する隔壁により形成される複数の放電セルを有し、放電セルに蛍光体が充填されている。
【００１７】
プラズマディスプレイパネル１は、前面板１０と背面板２０間の放電空間への放電により背面板２０の蛍光体を発光させて表示光を発する。
【００１８】
前面板１０は、例えば、保護層１１と、誘電体層１２と、横ブラックストライプ１３と、縦ブラックストライプ１４と、透明電極１５と、ガラス基板からなる前面基板１６と、対向電極１７とを有する。なお、ブラックマトリックスは、横ブラックストライプ１３と、縦ブラックストライプ１４とで形成される。
【００１９】
図２は、図１のＡ部の拡大図を示す。対向電極１７は、導電性の黒色層１７ａと金属電極層１７ｂとからなる２層構造である。金属電極層１７ｂは、放電空間側を例えば銀などの導電性の高い金属材料から形成されている。これにより、対向電極１７の導電性を高めるとともに、光を反射しやすい金属電極層１７ｂが表示面側から見えないようにしている。
【００２０】
より詳細には、前面基板１６上に透明電極１５を形成した後、黒色材料によって横ブラックストライプ１３と、縦ブラックストライプ１４を形成し、対向電極１７の黒色層１７ａが透明電極１５と金属電極層１７ｂの間に配置されるようにして形成する。なお、横ブラックストライプ１３および縦ブラックストライプ１４の背面板側に反射膜を形成する。反射膜を設けることにより、ブラックストライプで本来吸収される光が放電セルに反射され、放電セルから再度前面板１０へ反射されるため、放電セルからの発光量を増加することができる。
【００２１】
横ブラックストライプ１３と、縦ブラックストライプ１４と、黒色層１７ａとは、それぞれ、例えば以下のようにして形成することができる。まず、感光性の黒色材料からなる黒色ペーストをスクリーン印刷法などにより成膜する。次に、所望のパターンを有するフォトマスクを介して紫外光を照射して光吸収層のパターンを形成する。最後に、６００℃程度の温度で焼成してペースト中の有機成分を除去する。この場合、例えば、横ブラックストライプ１３と、縦ブラックストライプ１４とは、非導電性の材料を用い、黒色層１７ａは導電性の材料を用いる。
【００２２】
そして、それら透明電極１５と、横ブラックストライプ１３と、縦ブラックストライプ１４と、黒色層１７ａと、金属電極層１７ｂとを覆うように誘電体層１２を設け、さらにその上を覆うように保護層１１を設ける。誘電体層１２は、低融点ガラスなどの粉体とバインダー成分としてのエチルセルロース樹脂と、溶剤とを混練して所定粘度としたペーストとを、印刷法または塗布法などで、膜厚０．０３ 〜 ０．０４ｍｍに塗布し乾燥させてから、焼成することによって形成する。保護層１１は、ＭｇＯを蒸着法やスパッタリング法によって３００〜５００ｎｍの厚さに形成している。
【００２３】
背面板２０は、背面基板２１と、誘電体層２２と、アドレス電極２３と、蛍光体層２４と、隔壁２５とを有する。
【００２４】
より詳細には、例えば、背面板２０は、まず、ガラス基板である背面基板２１上に銀などの導電性の高い金属材料からなるアドレス電極２３を形成し、その上に誘電体ガラスからなる誘電体層２２を形成する。次に、その上に低融点ガラスやフィラーなどが混合された絶縁材料からなる隔壁２５をアドレス電極２３と平行に延びる縦隔壁２５ａと縦隔壁２５ａに交差する横隔壁２５ｂとによって格子状に形成する。隔壁２５によって区画された各放電セル内には、赤色（Ｒ）、緑色（Ｇ）、青色（Ｂ）の各色に発光する蛍光体ペーストを放電セル内の底面および壁面に配設して蛍光体層を形成する。その後、背面板２０の周囲に前面板１０との封着用ガラスフリットを塗布し、ガラスフリット内の樹脂成分などを除去するために３５０ ℃ 程度で焼成してフリット形成を行う。
【００２５】
なお、対向電極１７の金属電極層１７ｂおよびアドレス電極２３については、例えば、銀を主成分とする金属材料などの導電性材料に、感光性材料を含有させた材料を基板全面に塗布し、これを電極パターンを備えたフォトマスクにより露光し、その後、それを現像するフォトリソグラフィ法によってパターニングすることで、所定の位置に所定の形状で形成することができる。また、蛍光体層の形成方法には、スクリーン印刷によって形成するスクリーン法、蛍光体シートをラミネートし、フォト工程によって所定パターンを形成するフォト法、微細なノズルから蛍光体インクを垂らして塗布するインクジェット法などがある。
【００２６】
ここで、縦ブラックストライプ１４は、縦隔壁２５ａの真上に配置されることが望ましい。しかし、上述のように、前面板１０と背面板２０を貼り合せる時にそれぞれの基板の寸法がわずかに異なり、ブラックマトリックスの位置ずれが生じる。
【００２７】
通常、ブラックマトリックスの縦ブラックストライプは、縦隔壁２５ａの幅に合わせた均などな幅を有するストライプから構成されている。そのため、長手方向に前面板１０の位置ずれが生じると、位置ずれが生じた分だけ蛍光体層２４が塗布された発光部を覆う。
【００２８】
本実施の形態では、ブラックストライプの形状を工夫して、コーナー部の縦ブラックストライプ１４の位置ずれが生じても、輝度低下を少なく、かつ光吸収層が外光反射を低減して表示画像のコントラストを改善することができるプラズマディスプレイパネルを提供する。
【００２９】
図１ｂでは、背面板２０の縦隔壁２５ａと、縦ブラックストライプ１４の位置関係が示される。なお、蛍光体層２４が塗布される放電セルとの関係を分かりやすくするために、前面板１０の透明電極１５と、対向電極１７とを合わせて図示する。図３は、背面板２０の縦隔壁２５ａと、前面板１０の透明電極１５と、対向電極１７と、縦ブラックストライプ１４との位置関係を示した正面概略図である。なお、横隔壁２５ｂは、横ブラックストライプ１３の下に配置されている。
【００３０】
前面板１０は、映像表示面の長手方向と平行な隔壁に各々対応して隔壁の前面板側に並列配置されたブラックストライプを有する。具体的には、前面板１０は、長手方向の横隔壁２５ｂに各々対応して並列配置された長手方向の横ブラックストライプ１３を有する。各々の横ブラックストライプ１３は、放電セルのコーナー部を覆う位置に凸部を有するよう前面板１０に配置されている。具体的には、凸部は、直交する隔壁の交点について点対称の位置に配置されている。点対称に配置されていなくても、凸部は、放電セルの一対の対角の位置に配置されていればよい。なお、前面板１０の短手方向と、映像表示面の短手方向とは一致し、前面板１０の長手方向と、映像表示面の長手方向とは一致する。
【００３１】
ここで、短手方向とは、縦隔壁２５ａの長さ方向であり、長手方向とは、横隔壁２５ｂの長さ方向である。また、凸部は、例えば、図３に示す長方形などの矩形からなる。ここで、この凸部のずれ量（はみ出し量）を、例えば、縦隔壁２５ａの幅の１／４にする。なお、凸部の形状は、矩形に限らず、円形、楕円形、多角形でもよい。なお、凸部は、縦隔壁２５ａから放電セル上にはみ出した縦ブラックストライプ１４の一部である。
【００３２】
本実施の形態では、縦隔壁２５ａの真上に縦ブラックストライプ１４がコーナー部に配置された状態で、ずれ量分の縦ブラックストライプ１４が発光部に入り込んでいるとする。ここで、発光部に入り込んでいるずれ量分の面積を面積Ａとする、この状態を初期状態とすると、例えば、前面板１０の配置が左方向に隔壁２５の幅の１／４ずれた場合に、放電セルの右側では発光部に入り込む縦ブラックストライプ１４の面積は、面積２Ａ分増加する。しかし、放電セルの左側では発光部から退くため、縦ブラックストライプ１４の面積は、面積Ａ分減少する。これにより、実質的には、放電セルの発光部に入り込む縦ブラックストライプ１４の面積は面積Ａ分だけ増加する。
【００３３】
従来のストレートタイプのブラックマトリックスをコーナー部の短手方向に同じ長さで配置した場合は、面積２Ａ分増加するのに比べて、本実施の形態では、面積Ａ分だけ増加する。そのため、本実施の形態では、背面板の隔壁と前面板の光吸収層の位置ずれが生じても、輝度低下が少なくなる。
【００３４】
また、例えば、前面板１０の配置が左方向に隔壁２５の幅の１／４ずれた場合に、放電セルの右側および左側では縦隔壁２５ａが露出される面積は、それぞれ面積Ａ分増加する。
【００３５】
従来のストレートタイプのブラックマトリックスをコーナー部の短手方向に同じ長さで配置した場合は、放電セルの右側および左側で、面積４Ａ分増加するのに比べて、本実施の形態では、面積２Ａ分だけ増加する。そのため、本実施の形態では、背面板の隔壁と前面板の光吸収層の位置ずれが生じても、光吸収層が外光反射を低減して表示画像のコントラストを改善することができる。
【００３６】
上述した前面板１０と背面板２０とは、対向電極１７とアドレス電極２３とが直交するように、かつ縦隔壁２５ａ上に縦ブラックストライプ１４が配置されるようにして、微小な放電空間を挟んで対向配置されている。そして、その外周部がガラスフリット（図示せず）と呼ばれる封着材によって気密封着されている。
【００３７】
このように構成されたプラズマディスプレイパネル１において、放電セルの一対の対向電極１７にパルス状ＡＣ電圧が印加されると、表示放電が起こり、紫外線が発生する。発生した紫外線は、背面板に形成された蛍光体層２４の蛍光体を励起して可視光（表示光）を発生させ、映像光として観察者側に出射する。
【００３８】
このように、本実施の形態のプラズマディスプレイパネルによれば、背面板の隔壁と前面板の光吸収層の位置ずれが生じても、放電セルのコーナー部に対応する位置に凸部を有するよう前記前面板に配置されているため、輝度低下が少なく、かつ光吸収層が外光反射を低減して表示画像のコントラストを改善することができるプラズマディスプレイパネルを提供することができる。
【００３９】
（変形例）
次に、実施の形態１の変形例について説明する。図４は、背面板の隔壁と、縦ブラックストライプと、横ブラックストライプとの位置関係を示した正面概略図である。図４において、図１と同じ構成要素については同じ符号を付し、説明を省略する。
【００４０】
本変形例では、図３に示す実施の形態１における矩形の縦ブラックストライプ１４に代えて、台形の縦ブラックストライプ３４を有する。
【００４１】
前面板１０ａの放電セルのコーナー部に配置された各凸部は、台形形状であり長手方向の横ブラックストライプ１３に接する辺を下底としている。放電セルのコーナー部分はもともと蛍光体の発光量が少ないため、長手方向に縦ブラックストライプがずれた場合でも、輝度の低下を抑えるとともに、縦隔壁２５ａの露出が矩形に比べて少なくなるため、反射輝度をさらに低くすることができる。
【００４２】
（実施の形態２）
次に、本発明の実施の形態２について説明する。図５は、本発明の実施の形態２に係るプラズマディスプレイパネルの構成を示す斜視図である。なお、図５において、図１ａと同じ構成要素については同じ符号を付し、説明を省略する。
【００４３】
図５において、プラズマディスプレイパネル１ｂは、外光反射を低減させる光吸収層としてのブラックマトリックスが配置されている前面板１０ｂと、前面板１０ｂと対向配置されている背面板２０とから構成されている。
【００４４】
前面板１０ｂは、背面板２０との間に放電空間を形成するよう背面板２０と対向配置されている。
【００４５】
背面板２０は、直交する隔壁により形成される複数の放電セルを有し、放電セルに蛍光体が充填されている。
【００４６】
プラズマディスプレイパネル１ｂは、前面板１０ｂと背面板２０間の放電空間への放電により背面板２０の蛍光体を発光させて表示光を発する。
【００４７】
前面板１０ｂは、例えば、保護層１１と、誘電体層１２と、横ブラックストライプ１３と、縦ブラックストライプ４４と、透明電極１５と、ガラス基板からなる前面基板１６と、対向電極１７とを有する。なお、ブラックマトリックスは、横ブラックストライプ１３と、縦ブラックストライプ４４とで形成される。
【００４８】
図６は、図５のＢ部の拡大図を示す。対向電極１７は、導電性の黒色層１７ａと金属電極層１７ｂとからなる２層構造である。金属電極層１７ｂは、放電空間側を例えば銀などの導電性の高い金属材料から形成されている。これにより、対向電極１７の導電性を高めるとともに、光を反射しやすい金属電極層１７ｂが表示面側から見えないようにしている。
【００４９】
より詳細には、前面基板１６上に透明電極１５を形成した後、黒色材料によって横ブラックストライプ１３と、縦ブラックストライプ４４と、対向電極１７の黒色層１７ａとを形成する。対向電極１７の黒色層１７ａは、透明電極１５と金属電極層１７ｂの間に配置されるようにして形成する。なお、横ブラックストライプ１３および縦ブラックストライプ４４の背面板側に反射膜を形成する。反射膜を設けることにより、ブラックストライプで本来吸収される光が放電セルに反射され、放電セルから再度前面板１０へ反射されるため、放電セルからの発光量を増加することができる。
【００５０】
横ブラックストライプ１３と、縦ブラックストライプ４４と、黒色層１７ａとは、それぞれ、例えば以下のようにして形成することができる。まず、感光性の黒色材料からなる黒色ペーストをスクリーン印刷法などにより成膜する。次に、所望のパターンを有するフォトマスクを介して紫外光を照射して光吸収層のパターンを形成する。最後に、６００℃程度の温度で焼成してペースト中の有機成分を除去する。この場合、横ブラックストライプ１３と、縦ブラックストライプ４４と、黒色層１７ａとは同じ導電性のある材料を用いる。なお、横ブラックストライプ１３と、縦ブラックストライプ４４とは、非導電性の材料を用い、黒色層１７ａは導電性の材料を用いてもよい。
【００５１】
そして、それら透明電極１５と、横ブラックストライプ１３と、縦ブラックストライプ４４と、黒色層１７ａと、金属電極層１７ｂとを覆うように誘電体層１２を設け、さらにその上を覆うように保護層１１を設ける。
【００５２】
ここで、縦ブラックストライプ４４は、縦隔壁２５ａの真上に配置されることが望ましい。しかし、上述のように、前面板１０ｂと背面板２０を貼り合せる時にそれぞれの基板の寸法がわずかに異なり、ブラックマトリックスの位置ずれが生じる。
【００５３】
通常、ブラックマトリックスの縦ブラックストライプは、縦隔壁２５ａの幅に合わせた均などな幅を有するストライプから構成されている。そのため、長手方向に前面板１０ｂの位置ずれが生じると、位置ずれが生じた分だけ蛍光体層２４が塗布された発光部を覆う。
【００５４】
本実施の形態では、縦ブラックストライプの形状を工夫して、縦ブラックストライプの位置ずれが生じても、輝度低下を少なく、かつ光吸収層が外光反射を低減して表示画像のコントラストを改善することができるプラズマディスプレイパネルを提供する。
【００５５】
図７は、背面板２０の縦隔壁２５ａと、前面板１０ｂの透明電極１５と、対向電極１７と、縦ブラックストライプ４４との位置関係を示した正面概略図である。なお、横隔壁２５ｂは、横ブラックストライプ１３の下に配置されている。
【００５６】
前面板１０ｂは、映像表示面の長手方向と平行な隔壁に各々対応して隔壁の前面板側に並列配置されたブラックストライプを有する。具体的には、前面板１０ｂは、長手方向の横隔壁２５ｂに各々対応して並列配置された長手方向の横ブラックストライプ１３を有する。各々の横ブラックストライプ１３は、放電セルのコーナー部に対応する位置に凸部を有するよう前面板１０に配置されている。具体的には、凸部は、長手方向の横隔壁２５ｂに対して線対称の位置に配置され、映像表示面の短手方向に隣り合う横ブラックストライプ１３の凸部は、長手方向に相対的にずれている。なお、前面板１０ｂの短手方向と、映像表示面の短手方向とは一致し、前面板１０ｂの長手方向と、映像表示面の長手方向とは一致する。
【００５７】
ここで、短手方向とは、縦隔壁２５ａの長さ方向であり、長手方向とは、横隔壁２５ｂの長さ方向である。また、凸部は、例えば、図７に示す長方形などの矩形からなる。ここで、この凸部のずれ量（はみ出し量）を、例えば、縦隔壁２５ａの幅の１／４にする。なお、凸部を形成する形状は、矩形に限らず、円形、楕円形、多角形でもよい。なお、凸部は、縦隔壁２５ａから放電セル上にはみ出した縦ブラックストライプ４４の一部である。
【００５８】
本実施の形態では、縦隔壁２５ａの真上に縦ブラックストライプ４４が配置された状態で、ずれ量分の縦ブラックストライプ４４が発光部に入り込んでいるとする。ここで、発光部に入り込んでいるずれ量分の面積を面積Ａとする、この状態を初期状態とすると、例えば、前面板１０ｂの配置が左方向に隔壁２５の幅の１／４ずれた場合に、放電セルの右側では発光部に入り込む縦ブラックストライプ４４の面積は、面積２Ａ分増加する。しかし、放電セルの左側では発光部から退くため、縦ブラックストライプ４４の面積は、面積Ａ分減少する。これにより、実質的には、放電セルの発光部に入り込む縦ブラックストライプ４４の面積は面積Ａ分だけ増加する。
【００５９】
従来のストレートタイプのブラックマトリックスを短手方向に同じ長さで配置した場合は、長手方向に面積２Ａ分増加するのに比べて、本実施の形態では、面積Ａ分だけ増加する。そのため、本実施の形態では、背面板の隔壁と前面板の光吸収層の位置ずれが生じても、輝度低下が少なくなる。
【００６０】
また、例えば、前面板１０ｂの配置が左方向に隔壁２５の幅の１／４ずれた場合に、放電セルの右側および左側では縦隔壁２５ａが露出される面積は、それぞれ面積Ａ分増加する。
【００６１】
従来のストレートタイプのブラックマトリックスを短手方向に同じ長さで配置した場合は、放電セルの右側および左側で、面積４Ａ分増加するのに比べて、本実施の形態では、面積２Ａ分だけ増加する。そのため、本実施の形態では、背面板の隔壁と前面板の光吸収層の位置ずれが生じても、光吸収層が外光反射を低減して表示画像のコントラストを改善することができる。
【００６２】
上述した前面板１０ｂと背面板２０とは、対向電極１７とアドレス電極２３とが直交するように、かつ縦隔壁２５ａ上に縦ブラックストライプ４４が配置されるようにして、微小な放電空間を挟んで対向配置されている。そして、その外周部がガラスフリット（図示せず）と呼ばれる封着材によって気密封着されている。
【００６３】
このように構成されたプラズマディスプレイパネル１ｂにおいて、放電セルの一対の対向電極１７にパルス状ＡＣ電圧が印加されると、表示放電が起こり、紫外線が発生する。発生した紫外線は、背面板に形成された蛍光体層２４の蛍光体を励起して可視光（表示光）を発生させ、映像光として観察者側に出射する。
【００６４】
このように、本実施の形態のプラズマディスプレイパネルによれば、背面板の隔壁と前面板の光吸収層の位置ずれが生じても、放電セルのコーナー部に対応する位置に凸部を有するよう前記前面板に配置されているため、輝度低下が少なく、かつ光吸収層が外光反射を低減して表示画像のコントラストを改善することができるプラズマディスプレイパネルを提供することができる。
【００６５】
（変形例）
次に、実施の形態２の変形例について説明する。図８は、背面板の隔壁と、縦ブラックストライプと、横ブラックストライプとの位置関係を示した正面概略図である。図８において、図１ａと同じ構成要素については同じ符号を付し、説明を省略する。
【００６６】
本変形例では、図７に示す実施の形態２における矩形の縦ブラックストライプ４４に代えて、台形の縦ブラックストライプ５４を有する。
【００６７】
前面板１０ｃの放電セルのコーナー部に配置された各凸部は、台形形状であり長手方向の横ブラックストライプ１３に接する辺を下底としている。放電セルのコーナー部分はもともと蛍光体の発光量が少ないため、長手方向に縦ブラックストライプがずれた場合でも、輝度の低下を抑えるとともに、縦隔壁２５ａの露出が矩形に比べて少なくなるため、反射輝度をさらに低くすることができる。
【００６８】
（比較例）
次に、実施の形態１および実施の形態２に対する比較例について説明する。図９ａは、比較例に係るプラズマディスプレイパネル１ｄの構成を示す斜視図である。図９ｂは、図９ａのプラズマディスプレイパネル１ｄから前面基板１６を省略したプラズマディスプレイパネルの斜視図である。なお、図９において、図１と同じ構成要素については同じ符号を付し、説明を省略する。
【００６９】
本比較例では、図１に示す実施の形態１および実施の形態２における縦ブラックストライプを省略した構成としている。
【００７０】
図１０は、図９のＣ部の拡大図を示す。比較例の対向電極１７は、導電性の黒色層１７ａと金属電極層１７ｂとからなる２層構造である。金属電極層１７ｂは、放電空間側を例えば銀などの導電性の高い金属材料から形成されている。これにより、対向電極１７の導電性を高めるとともに、光を反射しやすい金属電極層１７ｂが表示面側から見えないようにしている。
【００７１】
なお、図１１は、背面板２０の縦隔壁２５ａと、前面板１０ｄの透明電極１５と、対向電極１７と、横ブラックストライプ１３との位置関係を示した比較例の正面概略図である。
【００７２】
前面板１０と、前面板１０ｂと、前面板１０ｄとを有するプラズマディスプレイパネルをそれぞれ作製した。そして、縦ブラックストライプの縦隔壁に対する長手方向のずれ量を、０μｍ、１０μｍ、２０μｍに設定して、それぞれのパネル毎に明所コントラストを測定して比較した。
【００７３】
外部からの光の入射が遮蔽された実験室内に、各プラズマディスプレイパネルに同じ駆動回路を取り付けて発光させ、明所コントラストの測定を行った。また、実験室の天井には、照明器具が配置されており、照明器具を点灯したとき、表示画面上の外光照度は１００ルクスであった。そして、プラズマディスプレイパネルの表示画面が全面黒一色の場合と全面白一色の場合とについて、輝度を測定し、両者の比を求め、求められた比を明所コントラストとした。
【００７４】
図１２は、比較例と、実施の形態１および実施の形態２とのコントラストの比較を示す図である。比較例の位置ずれが０μｍのときのコントラストを１として、グラフにおいて比較した。なお、比較例は、縦ブラックストライプを有さないため、長手方向にずれが生じても、コントラスト比は、一定である。
【００７５】
図１２に示すように、比較例より、実施の形態１および実施の形態２の方が、５〜１０％コントラスト比が高く、ブラックマトリクスの位置ずれ量が増加してもコントラストの変動が小さい。このため、縦ブラックストライプが背面板の縦隔壁と長手方向に位置ずれが生じても、輝度の変動が少なく、結果としてコントラストの変動が少ないプラズマディスプレイパネルを提供することができる。
【産業上の利用可能性】
【００７６】
本発明に係るプラズマディスプレイパネルは、背面板の隔壁と前面板の光吸収層の位置ずれが生じても、輝度低下が少なく、かつ光吸収層が外光反射を低減して表示画像のコントラストを改善することができるプラズマディスプレイパネとして有用である。すなわち、本発明は、コントラストが高く明るい画像の表示が要望されるＴＶ受像機や情報端末ディスプレイなどに好適である。
【図面の簡単な説明】
【００７７】
【図１ａ】実施の形態１に係るプラズマディスプレイパネルの構成を示す斜視図
【図１ｂ】実施の形態１に係るプラズマディスプレイパネルの前面基板を省いた構成を示す斜視図
【図２】図１におけるＡ部の拡大図
【図３】実施の形態１における背面板の縦隔壁と、前面板の透明電極と、対向電極と、縦ブラックストライプとの位置関係を示した正面概略図
【図４】実施の形態１の変形例における背面板の隔壁と、縦ブラックストライプと、横ブラックストライプとの位置関係を示した正面概略図
【図５】実施の形態２におけるプラズマディスプレイパネルの構成を示す斜視図
【図６】図５におけるＢ部の拡大図
【図７】実施の形態２における背面板の縦隔壁と、前面板の透明電極と、対向電極と、縦ブラックストライプとの位置関係を示した正面概略図
【図８】実施の形態２の変形例における背面板の隔壁と、縦ブラックストライプと、横ブラックストライプとの位置関係を示した正面概略図
【図９ａ】比較例に係るプラズマディスプレイパネルの構成を示す斜視図
【図９ｂ】比較例に係るプラズマディスプレイパネルの前面基板を省いた構成を示す斜視図
【図１０】図９におけるＣ部の拡大図
【図１１】比較例における背面板の縦隔壁と、前面板の透明電極と、対向電極と、横ブラックストライプとの位置関係を示した正面概略図
【図１２】実施の形態１および２におけるプラズマディスプレイパネルと比較例のコントラストの比較図
【符号の説明】
【００７８】
１０、１０ａ、１０ｂ、１０ｃ  前面板
１１  保護層
１２  誘電体層
１３  横ブラックストライプ
１４、３４、４４、５４  縦ブラックストライプ
１５  透明電極
１６  前面基板
１７  対向電極
１７ａ  黒色層
１７ｂ  金属電極層
２０  背面板
２１  背面基板
２２  誘電体層
２３  アドレス電極
２４  蛍光体層
２５  隔壁
２５ａ  縦隔壁
２５ｂ  横隔壁
【図１ａ】
2009193946.tif 000003
【図１ｂ】
2009193946.tif 000004
【図２】
2009193946.tif 000005
【図３】
2009193946.tif 000006
【図４】
2009193946.tif 000007
【図５】
2009193946.tif 000008
【図６】
2009193946.tif 000009
【図７】
2009193946.tif 000010
【図８】
2009193946.tif 000011
【図９ａ】
2009193946.tif 000012
【図９ｂ】
2009193946.tif 000013
【図１０】
2009193946.tif 000014
【図１１】
2009193946.tif 000015
【図１２】
2009193946.tif 000016